(57)【要約】【課題】本発明は、移動通信システム、特に移動通信のための共通チャンネルを再構成するための移動通信システムを提供する。【解決手段】本発明は、マルチメディア放送／マルチキャストサービス（ＭＢＭＳ）制御のために一定周期で送信される制御チャンネルを再設定する方法において、端末（ＵＥ）が特定周期の間に前記制御チャンネルを通じて前記制御チャンネルの設定変更に関する情報を受信する段階と、前記設定変更に関する情報を基礎で特定時点に前記制御チャンネルを再設定する段階と、前記再設定された制御チャンネルを通じてマルチメディア放送／マルチキャストサービスのための制御情報を受信する段階を含むマルチメディア放送／マルチキャストサービスのための制御チャンネル再設定方法に関するものである。第１チャンネルは第２制御メッセージを利用して再設定される。【選択図】図５
2008535365.tif 000002
【特許請求の範囲】
【請求項１】
共通チャンネルを再設定する方法において、
第１共通チャンネル構造の変更を示す第１制御メッセージを第１共通チャンネルを通じて受信する段階と、
前記第１制御メッセージを基礎として第２制御メッセージを第２共通チャンネルを通じて受信する段階と、及び
前記第２制御メッセージを利用して前記第１共通チャンネルを再設定する段階と、を含む共通チャンネル再設定方法。
【請求項２】
第１制御メッセージは、第１共通チャンネル再設定のための活性化時点情報を含むことを特徴とする請求項１に記載の共通チャンネル再設定方法。
【請求項３】
活性化時点情報は、システムフレーム番号（ＳＦＮ）、接続フレーム番号（ＣＦＮ）、変更周期の時点、繰り返し周期の時点及び接近周期の時点のうち一つ以上であることを特徴とする請求項２に記載の共通チャンネル再設定方法。
【請求項４】
第１制御チャンネルは、活性化時点情報によって再設定されることを特徴とする請求項２に記載の共通チャンネル再設定方法。
【請求項５】
第１共通チャンネルは制御チャンネルであることを特徴とする請求項１に記載の共通チャンネル再設定方法。
【請求項６】
制御チャンネルは、点対多点サービスのために使用されることを特徴とする請求項５に記載の共通チャンネル再設定方法。
【請求項７】
制御チャンネルは、マルチメディア放送／マルチキャストサービス制御チャンネル（ＭＣＣＨ）であることを特徴とする請求項５に記載の共通チャンネル再設定方法。
【請求項８】
第２制御メッセージは、制御パラメーターを含むことを特徴とする請求項１に記載の共通チャンネル再設定方法。
【請求項９】
制御パラメーターは、変更周期、繰り返し周期、接近周期、チャンネル化コード、拡散係数及びデータブロックの大きさのうち一つ以上を含むことを特徴とする請求項８に記載の共通チャンネル再設定方法。
【請求項１０】
第１共通チャンネルは、論理チャンネルであることを特徴とする請求項１に記載の共通チャンネル再設定方法。
【請求項１１】
第１共通チャンネルは、放送制御チャンネル（ＢＣＣＨ）であることを特徴とする請求項１に記載の共通チャンネル再設定方法。
【請求項１２】
制御メッセージは、システム情報ブロック（ＳＩＢ）を含むことを特徴とする請求項１に記載の共通チャンネル再設定方法。
【請求項１３】
制御メッセージは、変更されたサービス情報メッセージであることを特徴とする請求項１に記載の共通チャンネル再設定方法。
【請求項１４】
制御メッセージは、周期によって網から受信されることを特徴とする請求項１に記載の共通チャンネル再設定方法。
【請求項１５】
第１共通チャンネルは、制御メッセージが活性化時点情報を含まない場合に基準時点で再設定されることを特徴とする請求項１に記載の共通チャンネル再設定方法。
【請求項１６】
基準時点は、第２制御メッセージの受信から次の変更周期の時点であることを特徴とする請求項１５に記載の共通チャンネル再設定方法。
【請求項１７】
共通チャンネルを再設定する方法において、
第１共通チャンネル設定の変更を示す第１制御メッセージを第１共通チャンネルを通じて送信する段階と、
前記第１制御メッセージを基礎にして第２制御メッセージを第２共通チャンネルを通じて送信する段階と、及び
前記第２制御メッセージを基礎にして前記第１共通チャンネルを再設定する段階と、を含む共通チャンネル再設定方法。
【請求項１８】
共通チャンネルを通じてデータを受信する移動端末機において、
第１制御メッセージ及び第２制御メッセージに該当する信号を受信するためのアンテナ部（ａｎｔｅｎｎａ  ｕｎｉｔ）と、
無線周波数で受信された信号を処理するための無線周波数部（ｒａｄｉｏ  ｆｒｅｑｕｅｎｃｙ  ｍｏｄｕｌｅ）と、及び
第１共通チャンネル構造の変更を示す第１制御メッセージを第１共通チャンネルを通じて受信する段階と、前記第１制御メッセージを基礎にして第２制御メッセージを第２共通チャンネルを通じて受信する段階と、前記第２制御メッセージを利用して前記第１共通チャンネルを再設定する段階のための処理部（ｐｒｏｃｅｓｓｏｒ  ｕｎｉｔ）を含む移動端末機。
【請求項１９】
第１共通チャンネルは、制御チャンネルであることを特徴とする請求項１８に記載の移動端末機。
【請求項２０】
制御チャンネルは、点対多点サービスのために使用されることを特徴とする請求項１９に記載の移動端末機。
【請求項２１】
制御チャンネルは、マルチメディア放送／マルチキャストサービス制御チャンネル（ＭＣＣＨ）であることを特徴とする請求項２０に記載の移動端末機。
【請求項２２】
第２制御チャンネルは、放送制御チャンネル（ＢＣＣＨ）であることを特徴とする請求項１８に記載の移動端末機。
【発明の詳細な説明】
【技術分野】
【０００１】
本発明は、移動通信システム、特に移動通信のための共通チャンネルを再構成するための移動通信システムに関するものである。
【背景技術】
【０００２】
図１は、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の網構成を示す構成図である。汎用移動通信システム１０は一般に端末（ＵＥ：ｕｓｅｒ  ｅｑｕｉｐｍｅｎｔ）１１と、ＵＭＴＳ無線接続網（ＵＴＲＡＮ：ＵＭＴＳｔｅｒｒｅｓｔｒｉａｌ  ｒａｄｉｏ  ａｃｃｅｓｓ  ｎｅｔｗｏｒｋ）１２と、核心網（ＣＮ：ｃｏｒｅ  ｎｅｔｗｏｒｋ）１３を含む。ここで、端末は一般的な移動端末機であることができる。ＵＴＲＡＮは一つ以上の無線網副システム（ＲＮＳ：ｒａｄｉｏ  ｎｅｔｗｏｒｋ  ｓｕｂ−ｓｙｓｔｅｍ）１３を含んで、それぞれのＲＮＳは無線網制御器（ＲＮＣ：ｒａｄｉｏ  ｎｅｔｗｏｒｋ  ｃｏｎｔｒｏｌｌｅｒ）１３１と前記無線網制御器によって管理される一つ以上の基地局（Ｎｏｄｅ  Ｂ）１３２を含む。Ｎｏｄｅ  Ｂは一つ以上のセル（ｃｅｌｌ）１３３を含む。
【０００３】
図２は、移動通信システム内の無線インターフェースプロトコルの階層構造を示す構成図である。図２に示すように、無線インターフェースプロトコルは物理階層（ｐｈｙｓｉｃａｌ  ｌａｙｅｒ）、データリンク階層（ｄａｔａ  ｌｉｎｋ  ｌａｙｅｒ）及びネットワーク階層（ｎｅｔｗｏｒｋ  ｌａｙｅｒ）を水平的に含む。一方、無線インターフェースプロトコルは使用者データ送信のための使用者平面（ｕｓｅｒ  ｐｌａｎｅ）と制御信号伝達のための制御平面（ｃｏｎｔｒｏｌ  ｐｌａｎｅ）を含む。
【０００４】
図２のプロトコル階層らはＬ１（第１階層）、Ｌ２（第２階層）及びＬ３（第３階層）を含む。図２の階層らは開放型システム間の相互接続（ＯＳＩ：ｏｐｅｎ  ｓｙｓｔｅｍ  ｉｎｔｅｒｃｏｎｎｅｃｔｉｏｎ）による下位３層らに対応する。
【０００５】
第１階層である物理（ＰＨＹ）階層は物理チャンネル（ｐｈｙｓｉｃａｌ  ｃｈａｎｎｅｌ）を通じて情報送信サービスを上位階層（ｈｉｇｈｅｒ  ｌａｙｅｒ）に提供する。物理階層は送信チャンネル（ｔｒａｎｓｆｅｒ  ｃｈａｎｎｅｌ）を利用して第２階層である媒体接続制御（ＭＡＣ：ｍｅｄｉｕｍ  ａｃｃｅｓｓ  ｃｏｎｔｒｏｌ）階層に連結されているし、データが前記送信チャンネルを通じて媒体接続制御階層と物理階層との間を移動する。一方、データは送信側の物理階層と受信側の物理階層との間で物理チャンネルを通じて送信される。
【０００６】
媒体接続制御階層は、論理チャンネル（ｌｏｇｉｃａｌ  ｃｈａｎｎｅｌ）を通じて無線リンク制御（ＲＬＣ：ｒａｄｉｏ  ｌｉｎｋ  ｃｏｎｔｒｏｌ）階層にサービスを提供する。第２階層の無線リンク制御階層は、信頼性あるデータ送信を支援して上位階層から下ったサービスデータ単位（ＳＤＵ：ｓｅｒｖｉｃｅ  ｄａｔａ  ｕｎｉｔ）の分割及び連結機能を遂行することができる。
【０００７】
プロトコル階層内の第３階層の最下部に位置した無線資源制御（ＲＲＣ：ｒａｄｉｏ  ｒｅｓｏｕｒｃｅ  ｃｏｎｔｒｏｌ）階層は、制御平面上のみで定義されて、無線ベアラ（ＲＢ：ｒａｄｉｏ  ｂｅａｒｅｒ）の設定、再設定及び解除と関連されて論理チャンネル、送信チャンネル及び物理チャンネルを制御することができる。ここで、ＲＢはＵＥとＵＴＲＡＮとの間のデータ伝達のために第２階層によって提供されるサービスを意味する。一般に、ＲＢを設定するということは、特定サービスを提供するために必要なプロトコル階層及びチャンネルの特性を規定するための過程とパラメーター及び動作を設定するための過程を意味する。
【０００８】
また、ＲＲＣ階層は放送制御チャンネル（ＢＣＣＨ：ｂｒｏａｄｃａｓｔ  ｃｏｎｔｒｏｌ  ｃｈａｎｎｅｌ）を通じてシステム情報を放送することができる。一つのセルに対するシステム情報は少なくとも一つのシステム情報ブロック（ＳＩＢ：ｓｙｓｔｅｍ  ｉｎｆｏｒｍａｔｉｏｎ  ｂｌｏｃｋ）を利用して端末で放送される。システム情報が変更される場合に、ＵＴＲＡＮはページングチャンネル（ＰＣＨ：ｐａｇｉｎｇ  ｃｈａｎｎｅｌ）または順方向接近チャンネル（ＦＡＣＨ：ｆｏｒｗａｒｄ  ａｃｃｅｓｓ  ｃｈａｎｎｅｌ）を通じてＢＣＣＨ変更情報を端末に送ることで、端末が最新のシステム情報を有する。
【０００９】
以下、点対多点サービスの例としてマルチメディア放送／マルチキャストサービス（ＭＢＭＳ）が説明される。ＭＢＭＳは一般的に下向き送信のために設定されたＭＢＭＳベアラサービスを利用してストリーミングまたはバックグラウンドサービスを複数の端末に提供する。一つのＭＢＭＳサービスは一つ以上のセッションを含んで、ＭＢＭＳデータはセッションが進行中である間にＭＢＭＳベアラを利用して複数の端末に送信される。端末は自分が加入したサービスに対応して作動されると、端末は前記サービスを受信することができる。
【００１０】
図３は、ＭＢＭＳのためのチャンネルらを示す説明図である。ＵＴＲＡＮは無線ベアラを利用して複数の端末にＭＢＭＳを提供する。ＵＴＲＡＮは二つの類型の無線ベアラ、すなわち点対点無線ベアラ（ｐｏｉｎｔ−ｔｏ−ｐｏｉｎｔ  ＲＢ）と点対多点無線ベアラ（ｐｏｉｎｔ−ｔｏ−ｍｕｌｔｉｐｏｉｎｔ  ＲＢ）で設定されることができる。ここで、点対点無線ベアラは、両方向無線ベアラ（ｂｉ−ｄｉｒｅｃｔｉｏｎａｌ  ＲＢ）に該当する。点対点無線ベアラは、論理チャンネルとして専用トラフィックチャンネル（ＤＴＣＨ：ｄｅｄｉｃａｔｅｄ  ｔｒａｆｆｉｃ  ｃｈａｎｎｅｌ）、送信チャンネルとして専用チャンネル（ＤＣＨ：ｄｅｄｉｃａｔｅｄ  ｃｈａｎｎｅｌ）、物理チャンネルとして専用物理チャンネル（ＤＰＣＨ：ｄｅｄｉｃａｔｅｄ  ｐｈｙｓｉｃａｌ  ｃｈａｎｎｅｌ）または第２共通制御物理チャンネル（ＳＣＣＰＣＨ：ｓｅｃｏｎｄａｒｙ  ｃｏｍｍｏｎ  ｃｏｎｔｒｏｌ  ｐｈｙｓｉｃａｌ  ｃｈａｎｎｅｌ）を採択する。
【００１１】
一方、点対多点無線ベアラは片方向下向き無線ベアラ（ｕｎｉ−ｄｉｒｅｃｔｉｏｎａｌ  ｄｏｗｎｌｉｎｋ  ＲＢ）に該当する。図３に示すように、点対多点無線ベアラは論理チャンネルとしてＭＢＭＳトラフィックチャンネル（ＭＴＣＨ）、送信チャンネルとしてＦＡＣＨ、物理チャンネルとしてＳＣＣＰＣＨを採択する。ＭＴＣＨは一つのセルに提供されたそれぞれのＭＢＭＳサービスのために設定されて、使用者平面上のＭＢＭＳに該当する使用者データを送るために使用される。論理チャンネルであるＭＢＭＳ制御チャンネル（ＭＣＣＨ）はＦＡＣＨにマッピングされて、送信チャンネルＦＡＣＨはＳＣＣＰＣＨにマッピングされる。一般に、一つのＭＣＣＨは、一つのセルに割り当てされる。
【００１２】
図４は、ＭＣＣＨ情報を前記ＭＣＣＨを通じて送るための方法を示す説明図である。図４に示すように、ＭＣＣＨ情報は二つの類型の周期、すなわち変更周期（ｍｏｄｉｆｉｃａｔｉｏｎ  ｐｅｒｉｏｄ）と繰り返し周期（ｒｅｐｅｔｉｔｉｏｎ  ｐｅｒｉｏｄ）によってＭＣＣＨを通じて送信される。ＭＣＣＨ情報は、重要情報と非重要情報を含む。非重要情報は、変更周期または繰り返し周期で変更されることができる。しかし、重要情報は変更周期のみで変更されることができる。言い替えると、重要情報は変更周期の間に繰り返し的に送信されて、変更された重要情報は変更周期の時点で送信される。ＭＣＣＨ情報はＭＢＭＳに関する制御メッセージを意味して、制御メッセージはＲＲＣメッセージであることがある。ＭＣＣＨ情報は変更サービス情報（ＭＳＩ：ｍｏｄｉｆｉｅｄ  ｓｅｒｖｉｃｅ  ｉｎｆｏｒｍａｔｉｏｎ）、非変更サービス情報（ＵＳＩ：ｕｎｍｏｄｉｆｉｅｄ  ｓｅｒｖｉｃｅ  ｉｎｆｏｒｍａｔｉｏｎ）、点対多点無線ベアラ情報及び接近情報を含む。ここで、接近情報メッセージは非重要情報に該当して、残りの情報メッセージは重要情報に該当する。接近情報は繰り返し周期より小さいか、または同じ接近周期ごとに送信される。また、繰り返し周期は多数の接近周期を含むことができる。
【００１３】
ＵＴＲＡＮがＭＢＭＳに該当する制御メッセージを送る場合に、前記制御メッセージはＭＢＭＳ送信識別子（ＭＢＭＳ  ｔｒａｎｓｍｉｓｓｉｏｎ  ｉｄｅｎｔｉｔｙ）を含む。ここで、ＭＢＭＳ送信識別子は、ＭＢＭＳセッション識別子とＭＢＭＳサービス識別子を含む。例えば、ＵＴＲＡＮがＭＢＭＳ変更サービス情報メッセージを送る場合に、ＭＢＭＳ変更サービス情報メッセージはＭＢＭＳ送信識別子と前記ＭＢＭＳ送信識別子に該当するサービス情報を含む。
【００１４】
ＵＴＲＡＮはＭＣＣＨ情報が変更されるかの可否に関する情報をＭＢＭＳ通知指示者チャンネルを通じて周期的に送る。よって、特定ＭＢＭＳのセッションが始まる以前に端末が特定ＭＢＭＳデータを受信しようとすると、端末はＭＣＣＨまたはＭＴＣＨの代わりにＭＩＣＨを通じて情報を受信する。
【００１５】
ＵＴＲＡＮはＭＣＣＨ情報からパラメーターを生成、追加、変更または除去して前記ＭＣＣＨ情報を変更することができる。ＵＴＲＡＮはＭＣＣＨ情報が変更周期の間に変更されるかの可否を端末に通知するためにＭＩＣＨメッセージとＭＳＩメッセージを送る。ＭＳＩメッセージは現在セルで該当変更周期のうちに変更される各サービスに相応する一つ以上のサービス識別子と、そのサービスに加入した端末を作動させるための情報を含む。ここで、サービス識別子はＭＢＭＳ送信識別子であることができる。ＭＢＭＳ送信識別子はサービスを識別するＭＢＭＳサービス識別子を含むことができる。また、ＭＢＭＳ送信識別子はＭＢＭＳセッション識別子とＭＢＭＳサービス識別子との組合を含むことができるし、前記ＭＢＭＳセッション識別子はサービスセッションを識別する。現在セルに具備されたサービスらのうちで変更周期の間に変更されないサービスに該当するサービス識別子はＵＳＩメッセージを利用して送信される。ここで、サービス識別子は前記サービスに該当するＭＢＭＳ送信識別子であることができる。
【００１６】
ＭＢＭＳのサービスセッションが始まる場合に、ＵＴＲＡＮは端末にＭＣＣＨを通じて情報を受信することを通知する指示者である通知指示者（ＮＩ）をＭＩＣＨを通じて送る。端末がＵＴＲＡＮから通知指示者を受信する場合に、前記端末はＭＢＭＳデータを受信しようとする。端末がサービス変更を通知する通知指示者をＭＩＣＨを通じて受信する場合に、前記端末は通知指示者によって指示される変更周期の間にＭＣＣＨ情報を受信する。ＭＣＣＨを受信する間に、端末はＭＳＩメッセージを受信してＭＢＭＳが変更されたかの可否を把握する。端末がＭＢＭＳの変更を感知したら、前記端末は変更されたＭＣＣＨ情報を受信する。一方、端末は一つの変更周期の間に送信されるＭＳＩメッセージとＵＳＩメッセージを受信して該当変更周期の間に現在セルに提供されたすべてのサービスを示すサービスリストを把握することができる。
【００１７】
点対多点無線ベアラを利用してＭＢＭＳサービスを受信しようとする端末は、無線ベアラ情報を含むＭＣＨ情報をＭＣＣＨを通じて受信して、前記ＭＣＣＨ情報を利用して前記点対多点無線ベアラを端末に設定する。点対多点無線ベアラを設定した以後に、端末は論理チャンネルＭＴＣＨがマッピングされる物理チャンネルＳＣＣＰＣＨを通じてＭＢＭＳデータを受信する。
【００１８】
ＵＴＲＡＮはＭＴＣＨを通じてＭＢＭＳデータを送ることができる。ここで、図３に示すように、ＵＴＲＡＮはＭＴＣＨがマッピングされるＳＣＣＰＣＨに該当するＭＢＭＳスケジューリングチャンネル（ＭＳＣＨ：ＭＢＭＳ  ｓｃｈｅｄｕｌｉｎｇ  ｃｈａｎｎｅｌ）を通じてスケジューリングメッセージを端末に周期的に送る。スケジューリングメッセージは一つのスケジューリング周期内でＭＢＭＳデータ送信の時点と終点に関する情報を含む。よって、ＵＴＲＡＮは端末にスケジューリング情報の送信周期（スケジューリング周期）をあらかじめ知らせてくれる。
【００１９】
従来技術によると、ＭＣＣＨ情報はＳＩＢを利用してＢＣＣＨを通じて複数の端末に送信される。よって、ＭＣＣＨが再設定されたら、端末はＦＡＣＨまたはＰＣＨを通じてＢＣＣＨ変更情報を受信して前記ＢＣＣＨ変更情報によるＳＩＢを受信する。これによって、端末はＳＩＢからＭＣＣＨ再設定情報を獲得することができる。しかし、ＭＣＣＨ再設定を獲得するためのこのような方法は、いくつかの問題を引き起こす。言い替えると、端末がＰＣＨを通じてＢＣＣＨ再設定情報を受信する場合にＭＣＣＨの再設定が遅延されることがあるが、なぜならば、ＰＣＨの送信周期である不連続受信周期（ＤＴＸ  ｃｙｃｌｅ）がＭＣＣＨ変更周期のに比べて長いからである。
【発明の開示】
【発明が解決しようとする課題】
【００２０】
したがって、本発明は従来技術の制限及び短所による一つまたはそれ以上の問題点を実質的に防止する、チャンネル再設定方法に関するものである。
【００２１】
本発明の目的は、より效率的な点対多点サービスのために制御チャンネルを速かに再設定するものである。
【００２２】
本発明の追加的な長所、目的及び特徴は部分的に後述する記載に開示されて部分的に前記記載を参照した当技術分野の当業者に明白であるか、または本発明の実施例から獲得されることができる。本発明の目的及び他の長所は記述された明細書及びその請求項だけではなく、添付された図面に指摘された構成によって実現して獲得されることができる。
【００２３】
本明細書で具体化されて広く記述されたところのように、本発明の目標によってこれらの目的と違う長所を達成するためには、一実施例において、通信システムの共通チャンネルを再設定する方法は、第１共通チャンネル構造の変更を示す第１制御メッセージを第１共通チャンネルを通じて受信する段階を含む。前記方法は前記第１制御メッセージを基礎にして第２制御メッセージを第２共通チャンネルを通じて受信する段階をまた含む。前記方法は前記第２制御メッセージを利用して前記第１共通チャンネルを再設定する段階をまた含む。
【００２４】
望ましくは、第１共通チャンネルがＭＣＣＨであり、第２共通チャンネルがＢＣＣＨである。望ましくは、第１制御メッセージがＭＳＩメッセージであり、第２制御メッセージはＳＩＢを含む。
【００２５】
本発明の他の態様において、本発明の移動端末機は第１制御メッセージ及び第２制御メッセージに該当する信号を受信するためのアンテナ部（ａｎｔｅｎｎａ  ｕｎｉｔ）と、無線周波数で受信された信号を処理するための無線周波数部（ｒａｄｉｏ  ｆｒｅｑｕｅｎｃｙ  ｍｏｄｕｌｅ）と、及び第１共通チャンネル構造の変更を示す第１制御メッセージを第１共通チャンネルを通じて受信する段階と、前記第１制御メッセージを基礎にして第２制御メッセージを第２共通チャンネルを通じて受信する段階と、前記第２制御メッセージを利用して前記第１共通チャンネルを再設定する段階のための処理部（ｐｒｏｃｅｓｓｏｒ  ｕｎｉｔ）を含む。
【００２６】
本発明の前述した目的、特徴、態様及び長所は添付された図面と関連された次の詳細な説明を通じてより明らかになる。本発明の前述した記載と後述される記載は例示的なものであり、請求されたところのように本発明の追加的な説明を提供するためのものである。
【発明の効果】
【００２７】
本発明によると、ＭＣＣＨのような共通チャンネルがより效率的に再設定されることができる。
【発明を実施するための最良の形態】
【００２８】
添付された図面を参照して記述された本発明の望ましい実施例に対して詳しく説明される。できる限り、同一な図面符号は全体図面を通じて同一であるか、または類似の部材を示すのに使用される。
【００２９】
図５は、第１実施例による共通チャンネルを再設定するための過程を示す流れ図である。図５において、ＭＣＣＨは共通チャンネルの例として選択されるが、図５の方法はその他の共通チャンネルにも適用されることができる。
【００３０】
図５に示すように、ＵＴＲＡＮは変更周期または繰り返し周期の間にＭＣＣＨを通じてＭＣＣＨ設定変更情報を送る（Ｓ５１）。ここで、ＭＣＣＨ設定変更情報は、変更周期ごとに繰り返して送信されることができる。ＭＣＣＨ設定変更情報は、ＭＩＣＨ設定の変更に関する情報を含んで、前記ＭＣＣＨ設定変更情報はＳＩＢを利用してＢＣＣＨを通じて送信されることができる。
【００３１】
ＭＣＣＨ設定変更情報は端末が受信しなければならないＳＩＢを指定することができるし、ＳＩＢの変更を通知する情報を含むこともできる。端末はＭＳＩメッセージをモニターすることができるし、端末が前記ＭＳＩメッセージによってＭＣＣＨ設定変更情報を感知したら、端末はＭＣＣＨ設定変更情報によってＢＣＣＨを通じてＳＩＢを受信しようとする。
【００３２】
ＵＴＲＡＮはＢＣＣＨを通じて送信されるＳＩＢを利用してＭＣＣＨ設定情報を放送する（Ｓ５２）。ここで、ＭＣＣＨ設定情報は前記ＭＣＣＨ再設定のためのパラメーターを含む。前記パラメーターは再設定のためのＭＣＣＨ変更周期の長さ、または繰り返し周期の長さ、または接近周期の長さ、またはＭＣＣＨを送る物理チャンネルＳＣＣＰＣＨのチャンネル化コード（例えば、ＯＶＳＦコードまたはスクランブルコード）またはＭＣＣＨがマッピングされる物理チャンネルの拡散係数、またはＭＣＣＨ送信のためのデータブロックの大きさのうちで一つ以上を含むことができる。
【００３３】
また、前記パラメーターはＭＣＣＨ再設定が実施される時点を含むことができる。ここで、前記時点はＳＦＮ、ＣＦＮ、変更周期インデックス、繰り返し周期インデックス、及び接近周期インデックスのうち一つ以上として表示されることができる。ＭＣＣＨ設定情報が時点を含まない場合にも、端末はＭＣＣＨ設定変更情報または参照時間を利用して前記時点を決定することができる。ここで、参照時間はＳＦＮ、ＣＦＮ、次の変更周期、繰り返し周期あるいは接近周期の時点に該当する。しかし、ＭＣＣＨ設定情報がＭＣＣＨ再設定の時点を含むとしたら、端末はＭＣＣＨ再設定時間を認識することができる。一方、ＭＣＣＨ再設定の時点はＢＣＣＨの代りにＭＣＣＨを通じて送信されるか、またはＭＣＣＨ設定変更情報によって送信されることができる。
【００３４】
端末はＭＣＣＨ設定情報を受信して前記パラメーターによってＭＣＣＨを再設定する（Ｓ５３）。端末はＭＣＣＨの再設定以後にＭＣＣＨを通じてＭＣＣＨ情報を受信する（Ｓ５４）。
【００３５】
図６は、第２実施例による共通チャンネルを再設定するための過程を示す流れ図である。図６において、ＭＣＣＨは共通チャンネルの例として選択されるが、図６の方法はその他の共通チャンネルにも適用されることができる。
【００３６】
図６に示すように、ＵＴＲＡＮは変更周期または繰り返し周期間にＭＣＣＨを通じてＭＣＣＨ設定変更情報を送る（Ｓ６１）。ここで、ＭＣＣＨ設定変更情報は変更周期ごとに繰り返して送信されることができる。
【００３７】
ＭＣＣＨ設定変更情報はＭＳＩを利用してＭＣＣＨを通じて送信されて、前記情報はＳＩＢを利用してＢＣＣＨを通じて送信されるパラメーターの全部または一部を含む。前記パラメーターは再設定のためのＭＣＣＨ変更周期の長さ、またはＭＣＣＨ繰り返し周期の長さ、または接近周期の長さ、またはＭＣＣＨを送る物理チャンネルＳＣＣＰＣＨのチャンネル化コード（例えば、ＯＶＳＦコードまたはスクランブルコード）またはＭＣＣＨがマッピングされる物理チャンネルの拡散係数、またはＭＣＣＨ送信のためのデータブロックの大きさのうちで一つ以上を含むことができる。
【００３８】
また、前記パラメーターはＭＣＣＨ再設定の時点を含むことができる。ここで、前記時点はＳＦＮ、ＣＦＮ、変更周期インデックス、繰り返し周期インデックス、及び接近周期インデックスのうち一つ以上によって感知されることができる。端末はＭＳＩメッセージを周期的にモニターして、変更周期の間にＭＣＣＨ設定変更情報を受信する。ＭＣＣＨ設定情報が時点を含まない場合にも、端末はＳＦＮ、ＣＦＮ、次の変更周期の時点、次の繰り返し周期の時点あるいは次の接近周期の時点のうちで少なくとも一つを利用して前記時点を把握することができる。しかし、ＭＣＣＨ設定情報がＭＣＣＨ再設定の時点を含むとしたら、端末はＭＣＣＨ再設定時間を認識することができる。一方、ＭＣＣＨ再設定の時点はＢＣＣＨの代りにＭＣＣＨを通じて送信されるか、またはＭＣＣＨ設定変更情報によって送信されることができる。
【００３９】
端末はＭＣＣＨ設定情報を受信して前記パラメーターによってＭＣＣＨを再設定する（Ｓ６２）。端末はＭＣＣＨの再設定以後にＭＣＣＨを通じてＭＣＣＨ情報を受信する（Ｓ６３）。
【００４０】
図７は、ＭＣＣＨ再設定時点を示す説明図である。図７に示すように、ＭＣＣＨの再設定はＭＣＣＨ設定情報が受信される第１周期の終点で遂行されて、前記第１周期の終点は第２周期の時点に該当する。ＭＣＣＨ再設定の一例として、ＭＣＣＨがマッピングされるＳＣＣＰＣＨの拡散係数（ＳＦ）が１２８から６４に変更されることを仮定する。ＵＴＲＡＮはＭＣＣＨ設定変更情報を送った後にＭＣＣＨ設定情報を送る。よって、端末は第１周期の間にＭＣＣＨ設定情報を受信することができるし、第２周期の時点でＭＣＣＨを再設定することができる。
【００４１】
図８は、端末内でＭＣＣＨ再設定過程を示す流れ図である。端末はすべての変更周期でＭＳＩメッセージを受信する（Ｓ８１）。端末はＭＣＣＨ設定変更情報がＭＳＩメッセージに含まれるかの可否を検査する（Ｓ８２）。含まれている場合に、端末は前記ＭＣＣＨ設定変更情報を基礎にして前記端末がＢＣＣＨを通じてＳＩＢを受信しなければならないかの可否を決定する（Ｓ８３）。端末がＳＩＢを受信する必要がないと決定する場合に、端末はＭＳＩメッセージ内に含まれた情報を利用してＭＣＣＨを再設定する（Ｓ８５）。
【００４２】
一方、端末がＳＩＢを受信する必要があったら、端末はＭＣＣＨ設定変更情報によってＢＣＣＨを通じてＳＩＢを受信する（Ｓ８４）。ここで、ＭＣＣＨ設定変更情報は端末が受信しなければならない特定ＳＩＢを指示することができる。
【００４３】
端末はＭＣＣＨ設定変更情報を利用するか、またはＢＣＣＨを通じて受信されたＳＩＢを利用してＭＣＣＨを再設定する。ＭＣＣＨ設定変更情報またはＳＩＢが再設定時点を含んだら、端末は前記時点でＭＣＣＨを再設定して、以後端末が再設定されたＭＣＣＨを通じてＭＣＣＨ情報を受信する（Ｓ８５）。
【００４４】
図９は、本発明による端末を示す構造図である。図９に示すように、端末はアンテナ部９１、無線周波数部９２、信号処理部９３及びメモリー部９４を含む。信号処理部９３はマイクロプロセッサまたはデジタル信号プロセッサのようなプロセッションユニットを含む。併せて、端末はディスプレー部９５、キーパッド部９６及びスピーカー部９７を含むこともできる。
【００４５】
端末はアンテナ部９１と無線周波数部９２を利用してＭＣＣＨとＢＣＣＨを通じて信号を受信する。信号処理部９３は前述した過程によってＭＣＣＨとＢＣＣＨを通じて受信された信号を利用してＭＣＣＨを再設定する。
【００４６】
本発明は移動通信可能な個人携帯情報端末機（ＰＤＡ）とノートブックだけではなく、移動端末機に適用可能である。また、本発明の望ましい実施例はソフトウェア、ファームウェア、ハードウェアまたはこれらの組合を生産するために標準プログラミング及び／またはエンジニアリング技術を利用して方法、装置または製造のアーティクルとして具現されることができる。“製造のアーティクル”という用語はハードウェアロジッグ（例えば、集積回路チップ、ＦＰＧＡ、ＡＳＩＣなど）で具現可能なコードまたはロジッグを意味するか、またはコンピューター判読可能な媒体（例えば、ハードディスク、フロッピー（登録商標）、テープのような磁気保存媒体）、光ストレージ（ＣＤ−ＲＯＭ、光ディスクなど）、揮発性メモリー装置及び非揮発性メモリー装置（例えば、ＥＥＰＲＯＭ、ＲＯＭ、ＰＲＯＭ、ＲＡＭ、ＤＲＡＭ、ＳＲＡＭ、ファームウェア、プログラミング可能なロジッグなど）を意味するものとして使用される。
【００４７】
本発明の多様な実施例らがｎｏｄｅ−Ｂと関連されて記述されたが、本発明は基地局またはその他の類型の固定された通信局に適用されることができる。
【００４８】
本発明は当技術分野で通常の知識を有した当業者が本発明の技術的思想を脱しない範囲内でさまざまな置き換え、変形及び変更をすることができる。よって、本発明は前述した実施例及び添付された図面によって限定されるものではなく、添付された請求項及びその同等物が範囲内で提供された本発明の変形及び変更を含む。
【産業上の利用可能性】
【００４９】
本発明は、移動通信システムが利用されることができる。
【図面の簡単な説明】
【００５０】
【図１】汎用移動通信システム（ＵＭＴＳ）の網構成を示す構成図である。
【図２】ＵＥとＵＴＲＡＮとの間の無線インターフェースプロトコル階層構造を示す構造図である。
【図３】ＭＢＭＳのためのチャンネルを示す説明図である。
【図４】ＭＣＣＨを通じてＭＣＣＨ情報を送るための方法を示す説明図である。
【図５】第１情報による共通チャンネルを再設定するための過程を示す流れ図である。
【図６】本発明の第２実施例による共通チャンネルを再設定するための過程を示す流れ図である。
【図７】ＭＣＣＨが再設定時点を示す説明図である。
【図８】端末内のＭＣＣＨ再設定過程を示す流れ図である。
【図９】本発明による端末を示す構造図である。
【符号の説明】
【００５１】
９１  アンテナ部
９２  無線周波数部
９３  信号処理部
９４  メモリー部
９５  ディスプレー部
９６  キーパッド部
９７  スピーカー部
【図１】
2008535365.tif 000003
【図２】
2008535365.tif 000004
【図３】
2008535365.tif 000005
【図４】
2008535365.tif 000006
【図５】
2008535365.tif 000007
【図６】
2008535365.tif 000008
【図７】
2008535365.tif 000009
【図８】
2008535365.tif 000010
【図９】
2008535365.tif 000011
【国際調査報告】
2008535365.tif 000012
2008535365.tif 000013